(57)【要約】【課題】電子機器の位置を推定することが可能な情報管理システムを提供する。【解決手段】機器情報管理装置は、機器情報管理装置毎に異なる識別子と電子機器毎に異なる識別子とを宅内情報管理装置に対して送信する。【選択図】図３Ａ
2014064052.tif 000002
【特許請求の範囲】
【請求項１】
電子機器の動作状況を示す機器情報を管理する機器情報管理装置を含んで構成される情報管理システムであって、
前記機器情報管理装置は、機器情報管理装置毎に異なる第１の識別子と電子機器毎に異なる第２の識別子とを宅内情報管理装置に対して送信する送信部を有する
ことを特徴とする情報管理システム。
【請求項２】
電子機器をさらに含んで構成され、
前記電子機器は、前記機器情報管理装置と前記電子機器とが接続された後、前記第２の識別子を前記機器情報管理装置に対して送信する送信部を有し、
前記機器情報管理装置は、前記電子機器から送信された前記第２の識別子を受信する受信部を有する
ことを特徴とする請求項１に記載の情報管理システム。
【請求項３】
宅内情報管理装置をさらに含んで構成され、
前記宅内情報管理装置は、前記第１の識別子と前記第２の識別子とを関係付けて蓄積することが可能な宅内情報記憶部を備え、
前記機器情報管理装置から送信された、前記第１の識別子と前記第２の識別子とを受信した場合、受信した前記第１の識別子と前記第２の識別子とを関係付けて前記宅内情報記憶部に蓄積する宅内情報蓄積部を有する
ことを特徴とする請求項１又は請求項２に記載の情報管理システム。
【請求項４】
コンテンツ提供装置をさらに含んで構成され、
前記コンテンツ提供装置は、前記宅内情報管理装置に対して電子機器の種別を示す機器種別を送信する送信部を有し、
前記宅内情報管理装置は、前記第２の識別子と前記機器種別とを関係付けて蓄積することが可能な機器種別記憶部を備え、
前記コンテンツ提供装置から送信された前記機器種別を受信した場合、受信した前記機器種別と関係付けて前記機器種別記憶部に蓄積されている、前記第２の識別子を取得する機器種別取得部を備え、
前記機器種別取得部で取得された前記第２の識別子を前記コンテンツ提供装置に対して送信する送信部を有する
ことを特徴とする請求項３に記載の情報管理システム。
【請求項５】
前記コンテンツ提供装置は、前記宅内情報管理装置に対して前記第２の識別子を送信する送信部を有し、
前記宅内情報管理装置は、前記コンテンツ提供装置から送信された前記第２の識別子を受信した場合、受信した前記第２の識別子と関係付けて前記宅内情報記憶部に蓄積されている、前記第１の識別子を取得する宅内情報取得部を備え、
前記宅内情報取得部で取得された前記第１の識別子を前記コンテンツ提供装置に対して送信する送信部を有する
ことを特徴とする請求項４に記載の情報管理システム。
【請求項６】
前記コンテンツ提供装置は、前記宅内情報管理装置に対して前記第１の識別子を送信する送信部を有し、
前記宅内情報管理装置は、前記コンテンツ提供装置から送信された前記第１の識別子を受信した場合、受信した前記第１の識別子と関係付けて前記宅内情報記憶部に蓄積されている、前記第２の識別子を取得する宅内情報取得部を備え、
前記宅内情報取得部で取得された前記第２の識別子を前記コンテンツ提供装置に対して送信する送信部を有する
ことを特徴とする請求項４又は５に記載の情報管理システム。
【請求項７】
前記コンテンツ提供装置は、前記宅内情報管理装置に対して前記第２の識別子を送信する送信部を有し、
前記宅内情報管理装置は、前記コンテンツ提供装置から送信された前記第２の識別子を受信した場合、受信した前記第２の識別子と関係付けて前記機器種別記憶部に蓄積されている、前記機器種別を取得する機器種別取得部を備え、
前記機器種別取得部で取得された前記機器種別を前記コンテンツ提供装置に対して送信する送信部を有する
ことを特徴とする請求項４から請求項６までのいずれか１項に記載の情報管理システム。
【請求項８】
前記コンテンツ提供装置は、前記宅内情報管理装置に対して前記第１の識別子を送信する送信部を有し、
前記宅内情報管理装置は、複数の前記第１の識別子を関係付けて蓄積することが可能な機器情報記憶部を備え、
前記コンテンツ提供装置から送信された前記第１の識別子を受信した場合、前記第１の識別子と関係付けて前記機器情報記憶部に蓄積されている、前記第２の識別子を取得する機器情報取得部を備え、
前記機器情報取得部で取得された前記第２の識別子を前記コンテンツ提供装置に対して送信する送信部を有する
ことを特徴とする請求項４から請求項７までのいずれか１項に記載の情報管理システム。
【請求項９】
地域情報管理装置をさらに含んで構成され、
前記宅内情報管理装置は、前記地域情報管理装置に対して宅内情報管理装置毎に異なる第３の識別子と前記第１の識別子と前記第２の識別子とを送信する送信部を有し、
前記地域情報管理装置は、前記第３の識別子と前記第１の識別子と前記第２の識別子とを関係付けて蓄積することが可能な地域情報記憶部を備え、
前記宅内情報管理装置から送信された、前記第３の識別子と前記第１の識別子と前記第２の識別子とを受信した場合、受信した前記第３の識別子と前記第１の識別子と前記第２の識別子とを関係付けて前記地域情報記憶部に蓄積する地域情報蓄積部を有する
ことを特徴とする請求項３から請求項８までのいずれか１項に記載の情報管理システム。
【請求項１０】
前記コンテンツ提供装置は、前記地域情報管理装置に対して前記機器種別を送信する送信部を有し、
前記地域情報管理装置は、前記第３の識別子と前記第２の識別子と前記機器種別とを関係付けて蓄積することが可能な機器種別蓄積部を備え、
前記コンテンツ提供装置から送信された前記機器種別を受信した場合、受信した前記機器種別と関係付けて前記機器種別記憶部に蓄積されている、前記第３の識別子と前記第２の識別子とを取得する機器種別取得部を備え、
前記機器種別取得部で取得された前記第３の識別子と前記第２の識別子とを前記コンテンツ提供装置に対して送信する送信部を有する
ことを特徴とする請求項９に記載の情報管理システム。
【請求項１１】
前記コンテンツ提供装置は、前記地域情報管理装置に対して前記第３の識別子と前記第２の識別子とを送信し、
前記地域情報管理装置は、前記コンテンツ提供装置から送信された前記第３の識別子と前記第２の識別子とを受信した場合、受信した前記第３の識別子と前記第２の識別子と関係付けて前記地域情報記憶部に蓄積されている、前記第１の識別子を取得する地域情報取得部を備え、
前記地域情報取得部で取得された前記第１の識別子を前記コンテンツ提供装置に対して送信する送信部を有する
ことを特徴とする請求項９又は請求項１０に記載の情報管理システム。
【請求項１２】
前記コンテンツ提供装置は、前記地域情報管理装置に対して前記第３の識別子と前記第１の識別子とを送信し、
前記地域情報管理装置は、前記コンテンツ提供装置から送信された前記第３の識別子と前記第１の識別子とを受信した場合、受信した前記第３の識別子と前記第１の識別子と関係付けて前記地域情報記憶部に蓄積されている、前記第２の識別子を取得する地域情報取得部を備え、
前記地域情報取得部で取得された前記第２の識別子を前記コンテンツ提供装置に対して送信する送信部を有する
ことを特徴とする請求項９から請求項１１までのいずれか１項に記載の情報管理システム。
【請求項１３】
前記コンテンツ提供装置は、前記地域情報管理装置に対して前記第３の識別子と前記第２の識別子とを送信する送信部を有し、
前記地域情報管理装置は、前記コンテンツ提供装置から送信された前記第３の識別子と前記第２の異なる識別子とを受信した場合、受信した前記第３の識別子と前記第２の識別子と関係付けて前記機器種別記憶部に蓄積されている、前記機器種別を取得する機器種別取得部を備え、
前記機器種別取得部で取得された前記機器種別を前記コンテンツ提供装置に対して送信する送信部を有する
ことを特徴とする請求項９から請求項１２までのいずれか１項に記載の情報管理システム。
【請求項１４】
前記コンテンツ提供装置は、前記地域情報管理装置に対して前記第３の識別子と前記第１の識別子とを送信し、
前記地域情報管理装置は、
前記宅内情報管理装置毎に異なる識別子と複数の前記機器情報管理装置毎に異なる識別子とを関係付けて蓄積することが可能な機器情報記憶部を備え、
前記コンテンツ提供装置から送信された前記第３の識別子と前記第１の識別子とを受信した場合、前記第３の識別子と前記第１の識別子と関係付けて前記機器情報記憶部に蓄積されている、前記第１の識別子を取得する機器情報取得部を備え、
前記機器情報取得部で取得された前記第１の識別子を前記コンテンツ提供装置に対して送信する送信部を有する
ことを特徴とする請求項９から請求項１３までのいずれか１項に記載の情報管理システム。
【請求項１５】
電子機器の動作状況を示す機器情報を管理する機器情報管理装置であって、
機器情報管理装置毎に異なる第１の識別子と電子機器毎に異なる第２の識別子とを、宅内で１又はそれ以上の機器情報管理装置を管理する宅内情報管理装置に対して送信する送信部を有する
ことを特徴とする機器情報管理装置。
【請求項１６】
電子機器の動作状況を示す機器情報を管理する機器情報管理装置毎に異なる第１の識別子と電子機器毎に異なる第２の識別子とを関係付けて蓄積することが可能な宅内情報記憶部を有し、宅内で１又はそれ以上の機器情報管理装置を管理する宅内情報管理装置であって、
前記機器情報管理装置から送信された、前記第１の識別子と前記第２の識別子とを受信した場合、受信した前記第１の識別子と前記第２の識別子とを関係付けて前記宅内情報記憶部に蓄積する宅内情報管理装置。
【請求項１７】
電子機器の動作状況を示す機器情報を管理する機器情報管理装置を制御する制御装置であって、
前記機器情報管理装置に、
電子機器から前記電子機器毎に異なる第２の識別子を受け取り、
機器情報管理装置毎に異なる第１の識別子と前記第２の識別子とを宅内情報管理装置に対して送信する処理を実行させるための制御を行う制御装置。
【請求項１８】
電子機器の動作状況を示す機器情報を管理する機器情報管理装置による情報管理方法であって、
前記機器情報管理装置が、
電子機器から前記電子機器毎に異なる第２の識別子を受け取るステップと、
機器情報管理装置毎に異なる第１の識別子と前記第２の識別子とを宅内情報管理装置に対して送信するステップと
を有することを特徴とする情報管理方法。
【請求項１９】
請求項１８に記載の情報管理方法をコンピュータに実行させるためのプログラム。
【発明の詳細な説明】
【技術分野】
【０００１】
本発明は、情報管理技術に関し、特に、ＨＥＭＳ、家電等の配置を管理する技術に関する。
【背景技術】
【０００２】
従来、エネルギー供給者は、電力会社およびガス会社等のエネルギー供給事業者に限定されていた。しかし、現在、再生可能エネルギーの普及によってエネルギー供給事業者以外もエネルギーを創造し、供給する立場となってきており、今後も、この傾向は益々加速していくものと考えられる。
【０００３】
一方、再生可能エネルギーは環境の影響を受けるため、安定的にエネルギーを供給することが難しいという課題がある。この課題に対して情報技術を活用して、エネルギー供給事業者から提供されるエネルギー、再生可能エネルギー、蓄積／放出が可能なエネルギー等の全体のエネルギーを管理し、再生可能エネルギーが変動したとしても、全体でエネルギーを平準化することで安定化を図るスマートグリッドが提案された。
【０００４】
また、スマートグリッドは全体のエネルギーの管理が可能であるため、障害の早期検知や予防保守の強化をおこなえることからも注目され、多くの研究、開発および実証実験等がおこなわれるようになってきている。
【０００５】
また、エネルギー消費という観点でも近年、新たな変化があらわれ始めている。
例えば、複数のエネルギーから二酸化炭素排出量および料金が安いエネルギーを選択すること等を自動的におこなう宅内エネルギー管理システム（ＨＥＭＳ：Ｈｏｍｅ  Ｅｎｅｒｇｙ  Ｍａｎａｇｅｍｅｎｔ  Ｓｙｓｔｅｍ）の普及によって、高度なエネルギー利用が可能になると期待される。
【０００６】
上述のエネルギーの管理手法については、先行技術文献として、非特許文献１と非特許文献２と特許文献１と特許文献２とが開示されている。これらの内容について以下に簡単に説明する。
【０００７】
はじめに、非特許文献１では、消費電力、動作状態及びセンサ値等の機器情報が、地域情報管理装置が備える記憶装置に蓄積され、サービス提供者は地域情報管理装置が備える記憶装置に蓄積されている機器情報を利用したサービスを提供する、地域情報管理システムの概要が開示されている。
【０００８】
地域情報管理システムの一例を図１に示した。
図１によれば、地域情報管理システムＡは、電子機器１（１０１）と電子機器２（１０２）と電子機器３（１０３）から電子機器ｎ（１０ｎ）までと、宅内情報管理装置１（１１１）と宅内情報管理装置２（１１２）と宅内情報管理装置３（１１３）から宅内情報管理装置ｎ（１１ｎ）までと、地域情報管理装置（１２１）と、コンテンツ提供装置１（１３１）とコンテンツ提供装置２（１３２）とコンテンツ提供装置３（１３３）からコンテンツ提供装置ｎ（１３ｎ）までと、コンテンツ視聴装置１（１４１）とコンテンツ視聴装置２（１４２）とコンテンツ視聴装置３（１４３）からコンテンツ視聴装置ｎ（１４ｎ）までと、を含んで構成され、例えば、電子機器１（１０１）と宅内情報管理装置１（１１１）とが電気通信回線で接続され、電子機器２（１０２）と宅内情報管理装置１（１１１）とが電気通信回線で接続され、電子機器３（１０３）から電子機器ｎ（１０ｎ）までの各々と宅内情報管理装置１（１１１）とが電気通信回線を介して接続され、宅内情報管理装置１（１１１）と地域情報管理装置（１２１）とが電気通信回線を介して接続され、宅内情報管理装置２（１１２）と地域情報管理装置（１２１）とが電気通信回線を介して接続され、宅内情報管理装置３（１１３）から宅内情報管理装置ｎ（１１ｎ）までの各々と地域情報管理装置（１２１）とが電気通信回線を介して接続され、地域情報管理装置（１２１）とコンテンツ提供装置１（１３１）とが電気通信回線を介して接続され、地域情報管理装置（１２１）とコンテンツ提供装置２（１３２）とが電気通信回線を介して接続され、地域情報管理装置（１２１）とコンテンツ提供装置３（１３３）からコンテンツ提供装置ｎ（１３ｎ）までの各々とが電気通信回線を介して接続され、コンテンツ提供装置１（１３１）とコンテンツ視聴装置１（１４１）とが電気通信回線を介して接続され、コンテンツ提供装置１（１３１）とコンテンツ視聴装置２（１４２）とが電気通信回線で接続され、コンテンツ提供装置１（１３１）とコンテンツ視聴装置３（１４３）からコンテンツ視聴装置ｎ（１４ｎ）までの各々とが電気通信回線を介して接続されている。但し、ｎは正の整数とする。
【０００９】
以下、図１に示した地域情報管理システムの動作例について説明する。
【００１０】
はじめに、電子機器１（１０１）と電子機器２（１０２）と電子機器３（１０３）から電子機器ｎ（１０ｎ）までの各々とが、保持している機器情報を宅内情報管理装置１（１１１）に対して送信する。但し、機器情報は、消費電力、動作状態（オン・オフ、省エネ運転など）及びセンサ値（照度等）等の機器の動作状況を示す情報である。宅内情報管理装置は、電子機器毎に異なる識別子と、各機器の機器情報と、を管理する。
【００１１】
次に、宅内情報管理装置１（１１１）が、電子機器１（１０１）と電子機器２（１０２）と電子機器３（１０３）から電子機器ｎ（１０ｎ）までの各々と、から送信された機器情報を受信した場合、宅内情報管理装置１（１１１）は、受信された機器情報を宅内情報管理装置１（１１１）が備える記憶装置に蓄積する。
【００１２】
次に、宅内情報管理装置１（１１１）と宅内情報管理装置２（１１２）と宅内情報管理装置３（１１３）から宅内情報管理装置ｎ（１１ｎ）までの各々とが、各々が備える記憶装置に蓄積されている機器情報を地域情報管理装置（１２１）に対して送信する。
【００１３】
次に、地域情報管理装置（１２１）が、宅内情報管理装置１（１１１）と宅内情報管理装置２（１１２）と宅内情報管理装置３（１１３）から宅内情報管理装置ｎ（１１ｎ）までの各々とから送信された機器情報を受信した場合、地域情報管理装置（１２１）は、受信された機器情報を地域情報管理装置（１２１）が備える記憶装置に蓄積する。
【００１４】
最後に、コンテンツ提供装置１（１３１）とコンテンツ提供装置２（１３２）とコンテンツ提供装置３（１３３）からコンテンツ提供装置ｎ（１３ｎ）までの各々とが、地域情報管理装置（１２１）が備える記憶装置に蓄積されている機器情報を利用して、コンテンツ視聴装置１（１４１）とコンテンツ視聴装置２（１４２）とコンテンツ視聴装置３（１４３）からコンテンツ視聴装置ｎ（１４ｎ）までの各々とに対するコンテンツを作成し、作成されたコンテンツをコンテンツ視聴装置１（１４１）とコンテンツ視聴装置２（１４２）とコンテンツ視聴装置３（１４３）からコンテンツ視聴装置ｎ（１４ｎ）までの各々とに提供する。
【００１５】
次に、特許文献１では、複数の照明装置を組み合わせて所望の照度を最小の電力消費量で得ることが可能な照明システムの概要が開示されている。照明システムの一例を図２に示した。
【００１６】
図２によれば、照明システムＢは、照明制御装置（２０１）と照明装置１（２１１）と照明装置２（２１２）と照明装置３（２１３）から照明装置ｎ（２１ｎ）までとを含んで構成され、照明制御装置（２０１）と照明装置１（２１１）とが電子通信回線を介して接続され、照明制御装置（２０１）と照明装置２（２１２）とが電気通信回線を介して接続され、照明制御装置（２０１）と照明装置３（２１３）から照明装置ｎ（２１ｎ）までの各々とが電気通信回線を介して接続されている。
【００１７】
照明制御装置（２０１）は、照明装置１（２１１）と照明装置２（２１２）と照明装置３（２１３）から照明装置ｎ（２１ｎ）までと、を組み合わせて所望の照度を最小の電力消費量で得るため、予め準備された照明装置１（２１１）と照明装置２（２１２）と照明装置３（２１３）から照明装置ｎ（２１ｎ）までとの照度を算出する方法に基づいて、照明装置１（２１１）に対して照明装置１（２１１）の照度を送信し、照明装置２（２１２）に対して照明装置２（２１２）の照度を送信し、照明装置３（２１３）から照明装置ｎ（２１ｎ）までの各々に対して照明装置３（２１３）から照明装置ｎ（２１ｎ）までの各々の照度を送信する。
【００１８】
次に、特許文献２では、電力網に接続された電子機器を認証する電力管理装置が開示されている。
【００１９】
特許文献２では、電力網に接続された電子機器を電力管理装置が認証し、認証した電子機器を管理機器とする。
【００２０】
電力管理装置は、管理機器の状態に応じて、管理機器の動作及び管理機器への電力供給の制御などをおこなう。
【先行技術文献】
【非特許文献】
【００２１】
【非特許文献１】“スマートハウス情報活用基盤に関する検討活動中間報告”、一般財団法人日本情報経済社会推進協会
【特許文献】
【００２２】
【特許文献１】特開２０１２−３８９５号公報
【特許文献２】特開２０１１−１５５７１０号公報
【発明の概要】
【発明が解決しようとする課題】
【００２３】
本発明では、非特許文献１に示す環境において、利用者が電子機器の位置を入力する必要がなく、自動的に電子機器が配置された位置を推定することが可能な技術を提案する。
【００２４】
特許文献１では、最小の電力消費量で所望の照度を得るため、自動的に照明を調整する方法が開示されている。
【００２５】
しかし、部屋を跨いでの入射光は遮断される恐れがあるため、部屋毎の照度の調整は、部屋毎の照明を制御することによってなされることが望ましいが、いずれの照明がいずれの部屋に設置されているのかを定義する手法については示されていない。
【００２６】
特許文献２では、電力網に接続された電子機器を認証し、認証に成功した電子機器を管理機器とし、管理機器の制御をおこなう方法が開示されている。
【００２７】
しかし、管理機器各々の状態に応じて管理機器の制御をおこなうのみで、管理機器が設置される環境に含まれる他の管理機器との関係は認識できない。
【００２８】
したがって、特許文献１と特許文献２とのいずれか、又は、特許文献１と特許文献２とから容易に考えられ得る手段をもってしても、上述の課題を解決することはできない。
【課題を解決するための手段】
【００２９】
本発明は上述した課題を解決するためになされたもので、本発明の情報管理システムは、機器情報管理装置を含んで構成される情報管理システムであって、前記機器情報管理装置は、機器情報管理装置毎に異なる第１の識別子と電子機器毎に異なる第２の識別子とを宅内情報管理装置に対して送信する送信部を有することを特徴とする。
【００３０】
また、本発明の情報管理システムは、電子機器をさらに含んで構成され、前記電子機器は、前記機器情報管理装置と前記電子機器とが接続された後、前記第２の識別子を前記機器情報管理装置に対して送信する送信部を有し、前記機器情報管理装置は、前記電子機器から送信された前記第２の識別子を受信する受信部を有することを特徴とする。
【００３１】
また、本発明の情報管理システムは、宅内情報管理装置をさらに含んで構成される上述のいずれかの情報管理システムであって、前記宅内情報管理装置は、前記第１の識別子と前記第２の識別子とを関係付けて蓄積することが可能な宅内情報記憶部を備え、前記機器情報管理装置から送信された、前記第１の識別子と前記第２の識別子とを受信した場合、受信した前記第１の識別子と前記第２の識別子とを関係付けて前記宅内情報記憶部に蓄積する宅内情報蓄積部を有することを特徴とする。
【００３２】
また、本発明の情報管理システムは、コンテンツ提供装置をさらに含んで構成され、前記コンテンツ提供装置は、前記宅内情報管理装置に対して電子機器の種別を示す機器種別を送信する送信部を有し、前記宅内情報管理装置は、前記第２の識別子と前記機器種別とを関係付けて蓄積することが可能な機器種別記憶部を備え、前記コンテンツ提供装置から送信された前記機器種別を受信した場合、受信した前記機器種別と関係付けて前記機器種別記憶部に蓄積されている、前記第２の識別子を取得する機器種別取得部を備え、前記機器種別取得部で取得された前記第２の識別子を前記コンテンツ提供装置に対して送信する送信部を有することを特徴とする。
【００３３】
また、本発明の情報管理システムは、上述のいずれかの情報管理システムであって、前記コンテンツ提供装置は、前記宅内情報管理装置に対して前記第２の識別子を送信する送信部を有し、前記宅内情報管理装置は、前記コンテンツ提供装置から送信された前記第２の識別子を受信した場合、受信した前記第２の識別子と関係付けて前記宅内情報記憶部に蓄積されている、前記第１の識別子を取得する宅内情報取得部を備え、前記宅内情報取得部で取得された前記第１の識別子を前記コンテンツ提供装置に対して送信する送信部を有することを特徴とする。
【００３４】
また、本発明の情報管理システムは、上述のいずれかの情報管理システムであって、前記コンテンツ提供装置は、前記宅内情報管理装置に対して前記第１の識別子を送信する送信部を有し、前記宅内情報管理装置は、前記コンテンツ提供装置から送信された前記第１の識別子を受信した場合、受信した前記第１の識別子と関係付けて前記宅内情報記憶部に蓄積されている、前記第２の識別子を取得する宅内情報取得部を備え、前記宅内情報取得部で取得された前記第２の識別子を前記コンテンツ提供装置に対して送信する送信部を有することを特徴とする。
【００３５】
また、本発明の情報管理システムは、上述のいずれかの情報管理システムであって、前記コンテンツ提供装置は、前記宅内情報管理装置に対して前記第２の識別子を送信する送信部を有し、前記宅内情報管理装置は、前記コンテンツ提供装置から送信された前記第２の識別子を受信した場合、受信した前記第２の識別子と関係付けて前記機器種別記憶部に蓄積されている、前記機器種別を取得する機器種別取得部を備え、前記機器種別取得部で取得された前記機器種別を前記コンテンツ提供装置に対して送信する送信部を有することを特徴とする。
【００３６】
また、本発明の情報管理システムは、上述のいずれかの情報管理システムであって、前記コンテンツ提供装置は、前記宅内情報管理装置に対して前記第１の識別子を送信する送信部を有し、前記宅内情報管理装置は、複数の前記第１の識別子を関係付けて蓄積することが可能な機器情報記憶部を備え、前記コンテンツ提供装置から送信された前記第１の識別子を受信した場合、前記第１の識別子と関係付けて前記機器情報記憶部に蓄積されている、前記第２の識別子を取得する機器情報取得部を備え、前記機器情報取得部で取得された前記第２の識別子を前記コンテンツ提供装置に対して送信する送信部を有することを特徴とする。
【００３７】
また、本発明の情報管理システムは、地域情報管理装置をさらに含んで構成される上述のいずれかの情報管理システムであって、前記宅内情報管理装置は、前記地域情報管理装置に対して宅内情報管理装置毎に異なる第３の識別子と前記第１の識別子と前記第２の識別子とを送信する送信部を有し、前記地域情報管理装置は、前記第３の識別子と前記第１の識別子と前記第２の識別子とを関係付けて蓄積することが可能な地域情報記憶部を備え、前記宅内情報管理装置から送信された、前記第３の識別子と前記第１の識別子と前記第２の識別子とを受信した場合、受信した前記第３の識別子と前記第１の識別子と前記第２の識別子とを関係付けて前記地域情報記憶部に蓄積する地域情報蓄積部を有することを特徴とする。
【００３８】
また、本発明の情報管理システムは、上述の情報管理システムであって、コンテンツ提供装置は、地域情報管理装置に対して機器種別を送信する送信部を有し、前記地域情報管理装置は、前記第３の識別子と前記第２の識別子と前記機器種別とを関係付けて蓄積することが可能な機器種別記憶部を備え、前記コンテンツ提供装置から送信された前記機器種別を受信した場合、受信した前記機器種別と関係付けて前記機器種別記憶部に蓄積されている、前記第３の識別子と前記第２の識別子とを取得する機器種別取得部を備え、前記機器種別取得部で取得された前記第３の識別子と前記第２の識別子とを前記コンテンツ提供装置に対して送信する送信部を有することを特徴とする。
【００３９】
また、本発明の情報管理システムは、上述のいずれかの情報管理システムであって、コンテンツ提供装置は、前記地域情報管理装置に対して前記第３の識別子と前記第２の識別子とを送信し、前記地域情報管理装置は、前記コンテンツ提供装置から送信された前記第３の識別子と前記第２の識別子とを受信した場合、受信した前記第３の識別子と前記第２の識別子と関係付けて前記地域情報記憶部に蓄積されている、前記第１の識別子を取得する地域情報取得部を備え、前記地域情報取得部で取得された前記第１の識別子を前記コンテンツ提供装置に対して送信する送信部を有することを特徴とする。
【００４０】
また、本発明の情報管理システムは、上述のいずれかの情報管理システムであって、コンテンツ提供装置は、前記地域情報管理装置に対して前記第３の識別子と前記第１の識別子とを送信し、前記地域情報管理装置は、前記コンテンツ提供装置から送信された前記第３の識別子と前記第１の識別子とを受信した場合、受信した前記第３の識別子と前記第１の識別子と関係付けて前記地域情報記憶部に蓄積されている、前記第２の識別子を取得する地域情報取得部を備え、前記地域情報取得部で取得された前記第２の識別子を前記コンテンツ提供装置に対して送信する送信部を有することを特徴とする。
【００４１】
また、本発明の情報管理システムは、上述のいずれかの情報管理システムであって、コンテンツ提供装置は、地域情報管理装置に対して宅内情報管理装置毎に異なる識別子と電子機器毎に異なる識別子とを送信し、前記地域情報管理装置に対して前記第３の識別子と前記第１の識別子とを送信し、前記地域情報管理装置は、前記宅内情報管理装置毎に異なる識別子と複数の前記機器情報管理装置毎に異なる識別子とを関係付けて蓄積することが可能な機器情報記憶部を備え、前記コンテンツ提供装置から送信された前記第３の識別子と前記第１の識別子とを受信した場合、前記第３の識別子と前記第１の識別子と関係付けて前記機器情報記憶部に蓄積されている、前記第２の識別子を取得する機器情報取得部を備え、前記機器情報取得部で取得された前記第２の識別子を前記コンテンツ提供装置に対して送信する送信部を有することを特徴とする。
【００４２】
また、本発明は、電子機器の動作状況を示す機器情報を管理する機器情報管理装置であって、機器情報管理装置毎に異なる第１の識別子と電子機器毎に異なる第２の識別子とを、宅内で１又はそれ以上の機器情報管理装置を管理する宅内情報管理装置に対して送信する送信部を有することを特徴とする。
【００４３】
また、本発明は、電子機器の動作状況を示す機器情報を管理する機器情報管理装置毎に異なる第１の識別子と電子機器毎に異なる第２の識別子とを関係付けて蓄積することが可能な宅内情報記憶部を有し、宅内で１又はそれ以上の機器情報管理装置を管理する宅内情報管理装置であって、前記機器情報管理装置から送信された、前記第１の識別子と前記第２の識別子とを受信した場合、受信した前記第１の識別子と前記第２の識別子とを関係付けて前記宅内情報記憶部に蓄積する宅内情報管理装置である。
【００４４】
また、本発明は、電子機器の動作状況を示す機器情報を管理する機器情報管理装置を制御する制御装置であって、前記機器情報管理装置に、電子機器から前記電子機器毎に異なる第２の識別子を受け取り、機器情報管理装置毎に異なる第１の識別子と前記第２の識別子とを宅内情報管理装置に対して送信する処理を実行させるための制御を行う制御装置である。
【００４５】
また、本発明は、電子機器の動作状況を示す機器情報を管理する機器情報管理装置による情報管理方法であって、前記機器情報管理装置が、電子機器から前記電子機器毎に異なる第２の識別子を受け取るステップと、機器情報管理装置毎に異なる第１の識別子と前記第２の識別子とを宅内情報管理装置に対して送信するステップと、を有することを特徴とする情報管理方法である。
【００４６】
本発明は、上記に記載の情報管理方法をコンピュータに実行させるためのプログラムであっても良く、当該プログラムを記録するコンピュータ読み取り可能な記録媒体であっても良い。
【００４７】
尚、上記各構成要件は、技術的に可能な限り、任意に取捨選択できるものとする。また、情報管理システムに含まれる各装置の構成により特定される発明も含まれる。
【発明の効果】
【００４８】
本発明を用いることによって以下の効果を得ることが可能である。
【００４９】
本発明では、機器情報管理装置は宅内に固定されているものとする。また、機器情報管理装置には電子機器が接続され、接続される電子機器は、機器情報管理装置の付近に設置されるものと想定する。
【００５０】
また、機器情報管理装置と電子機器とが関係付けて管理され、機器情報管理装置と、その機器情報管理装置と距離の近い機器情報管理装置と、が関係付けて管理され、電子機器とセンサ情報と機器種別とが関係付けて管理されている。
【００５１】
したがって、センサ情報を異常と判断した場合、異常と判断したセンサ情報を有する電子機器が接続されている機器情報管理装置を特定し、特定した機器情報管理装置に接続されている電子機器の機器種別に基づいて、異常の原因と考えられる電子機器を特定することが可能である。
【００５２】
また、特定した機器情報管理装置と距離の近い機器情報管理装置を特定し、特定した機器情報管理装置と接続されている電子機器の機器種別に基づいて、異常の原因と考えられる電子機器を特定することが可能である。
【００５３】
また、異常の原因と考えられる電子機器と、異常の原因と考えられる電子機器の機器種別と異常の内容とに基づいた改善のためのアドバイスと、を利用者に提供するサービスの実施も可能となる。
【００５４】
また、電子機器の位置は自動的に推定されるため、利用者が、自ら電子機器の位置を登録する必要がない。したがって、利用者の負担を大幅に軽減することが可能である。特に、電子機器が移動可能なものである場合、電子機器を移動する度に利用者が逐一位置を登録する必要がなくなる。
【図面の簡単な説明】
【００５５】
【図１】非特許文献１において開示されている、地域情報管理システムの一例を示す図である。
【図２】特許文献１において開示されている、照明システムの一例を示す図である。
【図３Ａ】第１の実施形態における情報管理システムの一例を示す図である。
【図３Ｂ】第２の実施形態における情報管理システムの一例を示す図である。
【図３Ｃ】第３の実施形態における情報管理システムの一例を示す図である。
【図３Ｄ】第４の実施形態における情報管理システムの一例を示す図である。
【図４】第１の実施形態から第４の実施形態までにおける機器情報管理装置の機能ブロックを示す図である。
【図５】第１の実施形態から第４の実施形態までにおける電子機器の機能ブロックを示す図である。
【図６Ａ】第１の実施形態における宅内情報管理装置の機能ブロックを示す図である。
【図６Ｂ】第２の実施形態と第３の実施形態と第４の実施形態における宅内情報管理装置の機能ブロックを示す図である。
【図６Ｃ】第３の実施形態における地域情報管理装置の機能ブロックを示す図である。
【図６Ｄ】第４の実施形態における地域情報管理装置の機能ブロックを示す図である。
【図７】第２の実施形態と第４の実施形態までにおけるコンテンツ提供装置の機能ブロックを示す図である。
【図８Ａ】第１の実施形態における情報管理システムで実行される処理の流れの一例を示すフローチャート図である。
【図８Ｂ】第１の実施形態における情報管理システムで実行される処理の流れの一例を示すフローチャート図である。
【図９Ａ】第２の実施形態における情報管理システムで実行される処理の流れの一例を示すフローチャート図である。
【図９Ｂ】第２の実施形態における情報管理システムで実行される処理の流れの一例を示すフローチャート図である。
【図９Ｃ】第２の実施形態における情報管理システムで実行される処理の流れの一例を示すフローチャート図である。
【図９Ｄ】第２の実施形態における情報管理システムで実行される処理の流れの一例を示すフローチャート図である。
【図９Ｅ】第２の実施形態における情報管理システムで実行される処理の流れの一例を示すフローチャート図である。
【図１０Ａ】第３の実施形態における情報管理システムで実行される処理の流れの一例を示すフローチャート図である。
【図１０Ｂ】第３の実施形態における情報管理システムで実行される処理の流れの一例を示すフローチャート図である。
【図１１Ａ】第４の実施形態における情報管理システムで実行される処理の流れの一例を示すフローチャート図である。
【図１１Ｂ】第４の実施形態における情報管理システムで実行される処理の流れの一例を示すフローチャート図である。
【図１１Ｃ】第４の実施形態における情報管理システムで実行される処理の流れの一例を示すフローチャート図である。
【図１１Ｄ】第４の実施形態における情報管理システムで実行される処理の流れの一例を示すフローチャート図である。
【図１１Ｅ】第４の実施形態における情報管理システムで実行される処理の流れの一例を示すフローチャート図である。
【発明を実施するための形態】
【００５６】
以下に、図面を参照しながら本発明の実施形態について説明する。
【００５７】
（第１の実施形態）
第１の実施形態では、図３Ａに示すとおりの情報管理システムを想定している。
図３Ａによれば、情報管理システムは、宅内情報管理装置１（５１１）と機器情報管理装置１（５２１）と機器情報管理装置２（５２２）と機器情報管理装置３（５２３）から機器情報管理装置ｎ（５２ｎ）までと電子機器１（５３１）と電子機器２（５３２）と電子機器３（５３３）から電子機器ｎ（５３ｎ）までとを含んで構成される。
【００５８】
第１の実施形態では、機器情報管理装置１（５２１）と機器情報管理装置２（５２２）と機器情報管理装置３（５２３）から機器情報管理装置ｎ（５２ｎ）までとは、既知の位置に固定され、動かないものとする。
また、宅内情報管理装置１（５１１）と機器情報管理装置１（５２１）とが電気通信回線を介して接続され、宅内情報管理装置１（５１１）と機器情報管理装置２（５２２）とが電気通信回線を介して接続され、宅内情報管理装置１（５１１）と機器情報管理装置３（５２３）から機器情報管理装置ｎ（５２ｎ）までの各々とが電気通信回線を介して接続されているものとする。
【００５９】
図３Ａによれば、機器情報管理装置１（５２１）と電子機器１（５３１）とは破線で接続され、機器情報管理装置２（５２２）と電子機器２（５３２）とは実線で接続され、機器情報管理装置３（５２３）から機器情報管理装置ｎ（５２ｎ）までの各々と電子機器３（５３３）から電子機器ｎ（５３ｎ）までの各々とは実線で接続されている。例えば、機器情報管理装置３（５２３）と電子機器３（５３３）とは実線で接続され、機器情報管理装置ｎ（５２ｎ）と電子機器ｎ（５３ｎ）とは実線で接続され、機器情報管理装置３（５２３）と電子機器ｎ（５３ｎ）とは接続されていない。
【００６０】
機器情報管理装置１（５２１）と電子機器１（５３１）とが破線で接続されているのは、機器情報管理装置１（５２１）と電子機器１（５３１）とが接続されていない状態から接続されている状態となった瞬間以後であることを意味し、機器情報管理装置２（５２２）と電子機器２（５３２）とが実線で接続されていれば、機器情報管理装置２（５２２）と電子機器２（５３２）とはすでに接続されている状態であることを意味し、機器情報管理装置３（５２３）から機器情報管理装置ｎ（５２ｎ）までの各々と電子機器３（５３３）から電子機器ｎ（５３ｎ）までの各々とが実線で接続されていれば、機器情報管理装置３（５２３）から機器情報管理装置ｎ（５２ｎ）までの各々と電子機器３（５３３）から電子機器ｎ（５３ｎ）までの各々とはすでに接続されている状態であることを意味する。
【００６１】
第１の実施形態では、機器情報管理装置１（５２１）と電子機器１（５３１）とが接続されていない状態から接続されている状態となった瞬間以後の動作を例に説明するが、機器情報管理装置２（５２２）と電子機器２（５３２）とが接続されていない状態から接続されている状態となった瞬間以後の動作と、機器情報管理装置３（５２３）から機器情報管理装置ｎ（５２ｎ）までの各々と電子機器３（５３３）から電子機器ｎ（５３ｎ）までの各々とが接続されていない状態から接続されている状態となった瞬間以後の動作と、についての説明は、機器情報管理装置１（５２１）と電子機器１（５３１）とが接続されていない状態から接続されている状態となった瞬間以後の動作についての説明と同一であるため、機器情報管理装置２（５２２）と電子機器２（５３２）とが接続されていない状態から接続されている状態となった瞬間以後の動作と、機器情報管理装置３（５２３）から機器情報管理装置ｎ（５２ｎ）までの各々と電子機器３（５３３）から電子機器ｎ（５３ｎ）までの各々とが接続されていない状態から接続されている状態となった瞬間以後の動作と、については説明をおこなわない。
【００６２】
図４に機器情報管理装置１（５２１）の詳細について示し、図５に電子機器１（５３１）の詳細について示し、図６Ａに宅内情報管理装置１（５１１）の詳細について示す。
【００６３】
図８Ａは、第１の実施形態における情報管理システムで実行される処理の一例を示すフローチャートである。
【００６４】
図８Ａによれば機器情報管理装置１（５２１）と電子機器１（５３１）とが接続された（Ｓｔａｒｔ）後、電子機器１（５３１）では以下が実行される。
【００６５】
（ステップＡ１）
送信部（５３１−１）は、機器情報管理装置１（５２１）に対して電子機器毎に異なる識別子を送信する。
【００６６】
以上が、電子機器１（５３１）で実行される。
【００６７】
（ステップＡ２）
機器情報管理装置１（５２１）が備える受信部（５２１−１）は、電子機器１（５３１）から送信された電子機器毎に異なる識別子を受信可能で、機器情報管理装置１（５２１）が備える受信部（５２１−１）が、電子機器１（５３１）から送信された電子機器毎に異なる識別子を受信した場合、機器情報管理装置１（５２１）では以下が実行され、機器情報管理装置１（５２１）が備える受信部（５２１−１）が、電子機器１（５３１）から送信された電子機器毎に異なる識別子を受信しない場合、機器情報管理装置１（５２１）は待機する。
【００６８】
（ステップＡ３）
送信部（５２１−２）は、機器情報管理装置毎に異なる識別子と、受信部（５２１−１）で受信された電子機器毎に異なる識別子と、を宅内情報管理装置１（５１１）に対して送信する。
【００６９】
以上が、機器情報管理装置１（５２１）で実行される。
【００７０】
（ステップＡ４）
宅内情報管理装置１（５１１）が備える受信部（５１１−２）は、機器情報管理装置１（５２１）から送信された機器情報管理装置毎に異なる識別子と電子機器毎に異なる識別子とを受信可能で、宅内情報管理装置１（５１１）が備える受信部（５１１−２）が、機器情報管理装置１（５２１）から送信された機器情報管理装置毎に異なる識別子と電子機器毎に異なる識別子とを受信した場合、宅内情報管理装置１（５１１）では以下が実行され、宅内情報管理装置１（５１１）が備える受信部（５１１−２）が、機器情報管理装置１（５２１）から送信された機器情報管理装置毎に異なる識別子と電子機器毎に異なる識別子とを受信しない場合、宅内情報管理装置１（５１１）は待機する。
【００７１】
（ステップＡ５）
宅内情報管理装置１（５１１）は、機器情報管理装置毎に異なる識別子と電子機器毎に異なる識別子とを関係付けて蓄積することが可能な宅内情報記憶部（５１１−１）を備えている。
また、宅内情報管理装置１（５１１）は、電子機器毎に異なる識別子と機器種別とを関係付けて蓄積することが可能な機器種別記憶部（５１１−３）を備えている。但し、機器種別とは、冷蔵庫、テレビ及び空調等の電子機器の種類を示している。
また、宅内情報管理装置１（５１１）は、複数の機器情報管理装置毎に異なる識別子を関係付けて蓄積することが可能な機器情報記憶部（５１１−４）を備えている。
宅内情報蓄積部（５１１−５）は、受信部（５１１−２）で受信された機器情報管理装置毎に異なる識別子と電子機器毎に異なる識別子とを関係付けて宅内情報記憶部（５１１―１）に蓄積する。
【００７２】
以上が、宅内情報管理装置１（５１１）で実行される。
【００７３】
図８Ｂは、第１の実施形態における情報管理システムで実行される処理の一例を示すフローチャートである。
【００７４】
図８Ｂによれば、電子機器１（５３１）では以下が実行される。
【００７５】
（ステップＢ１）
送信部（５３１−１）は、予め定められた周期又は、センサ情報に基づいたタイミングで、機器情報管理装置１（５２１）に対して電子機器毎に異なる識別子とセンサ情報とを送信する。
【００７６】
以上が、電子機器１（５３１）で実行される。
【００７７】
また、電子機器２（５３２）と電子機器３（５３３）から電子機器ｎ（５３ｎ）までとでも同様のことが実行されるが、電子機器１（５３１）で実行されることと同一であるため、電子機器２（５３２）と電子機器３（５３３）から電子機器ｎ（５３ｎ）までとについての説明はおこなわない。
【００７８】
（ステップＢ２）
機器情報管理装置１（５２１）が備える受信部（５２１−１）は、電子機器１（５３１）から送信された電子機器毎に異なる識別子とセンサ情報とを受信可能で、機器情報管理装置１（５２１）が備える受信部（５２１−１）が、電子機器１（５３１）から送信された電子機器毎に異なる識別子とセンサ情報とを受信した場合、機器情報管理装置１（５２１）では以下が実行され、機器情報管理装置１（５２１）が備える受信部（５２１−１）が、機器情報管理装置１（５２１）から送信された電子機器毎に異なる識別子とセンサ情報とを受信しない場合、機器情報管理装置１（５２１）は待機する。
【００７９】
（ステップＢ３）
送信部（５２１−２）は、受信部（５２１−１）で受信された電子機器毎に異なる識別子とセンサ情報とを宅内情報管理装置１（５１１）に対して送信する。
【００８０】
以上が、機器情報管理装置１（５２１）で実行される。
【００８１】
また、機器情報管理装置２（５２２）と機器情報管理装置３（５２３）から機器情報管理装置ｎ（５２ｎ）までとでも同様のことが実行されるが、機器情報管理装置１（５２１）で実行されることと同一であるため、機器情報管理装置２（５２２）と機器情報管理装置３（５２３）から機器情報管理装置ｎ（５２ｎ）までとについての説明はおこなわない。
【００８２】
（ステップＢ４）
宅内情報管理装置１（５１１）が備える受信部（５１１−２）は、機器情報管理装置１（５２１）から送信された電子機器毎に異なる識別子とセンサ情報とを受信可能で、宅内情報管理装置１（５１１）が備える受信部（５１１−２）が、機器情報管理装置１（５２１）から送信された電子機器毎に異なる識別子とセンサ情報とを受信した場合、宅内情報管理装置１（５１１）では以下が実行され、宅内情報管理装置１（５１１）が備える受信部（５１１−２）が、機器情報管理装置１（５２１）から送信された電子機器毎に異なる識別子とセンサ情報とを受信しない場合、宅内情報管理装置１（５１１）は待機する。
【００８３】
（ステップＢ５）
宅内情報管理装置１（５１１）は、電子機器毎に異なる識別子とセンサ情報とを関係付けて蓄積することが可能なセンサ情報記憶部（５１１−６）を備えている。
センサ情報蓄積部（５１１−７）は、受信部（５１１−２）で受信された電子機器毎に異なる識別子とセンサ情報とを関係付けてセンサ情報記憶部（５１１―６）に蓄積する。
【００８４】
以上が、宅内情報管理装置１（５１１）で実行される。
【００８５】
第１の実施形態によれば、以下の効果を得ることが可能となる。
【００８６】
第１の実施形態では、電子機器と機器情報管理装置とが接続された場合、電子機器と情報管理装置との関係が宅内情報管理装置に報知される。
【００８７】
したがって、機器情報管理装置が既知の位置に固定されているとすると、宅内情報管理装置では電子機器の位置を推定することが可能である。また、電子機器の位置は推定されるため、利用者が、自ら電子機器の位置を登録する必要がない。したがって、利用者の負担を大幅に軽減することが可能である。特に、電子機器が移動可能なものである場合、電子機器を移動する度に利用者が逐一位置を登録する必要がなくなる。
【００８８】
（第２の実施形態）
第２の実施形態では、図３Ｂに示すとおりの情報管理システムを想定している。
第２の実施形態における情報管理システムは、第１の実施形態で示した情報管理システムにコンテンツ提供装置（５４１）を加えたものである。
【００８９】
第２の実施形態では、宅内情報管理装置１（５１１）とコンテンツ提供装置（５４１）とが電気通信回線を介して接続されているものとする。
【００９０】
また、宅内情報管理装置１（５１１）とコンテンツ提供装置（５４１）との通信に関する動作と、コンテンツ提供装置（５４１）の動作、以外については、第１の実施形態と動作が同一のため、宅内情報管理装置１（５１１）とコンテンツ提供装置（５４１）との通信に関する動作と、コンテンツ提供装置（５４１）の動作、以外については説明をおこなわない。
【００９１】
図６Ｂに宅内情報管理装置１（５１１）の詳細について示す。
図７にコンテンツ提供装置（５４１）の詳細について示す。
図９Ａは、第２の実施形態における情報管理システムで実行される処理の一例を示すフローチャートである。
【００９２】
図９Ａによれば、コンテンツ提供装置（５４１）では以下が実行される。
【００９３】
（ステップＣ１）
送信部（５４１−１）は、機器種別を宅内情報管理装置１（５１１）に対して送信する。
【００９４】
以上が、コンテンツ提供装置（５４１）で実行される。
【００９５】
（ステップＣ２）
宅内情報管理装置１（５１１）が備える受信部（５１１−２）は、コンテンツ提供装置（５４１）から送信された機器種別を受信可能で、宅内情報管理装置１（５１１）が備える受信部（５１１−２）が、コンテンツ提供装置（５４１）から送信された機器種別を受信した場合、宅内情報管理装置１（５１１）では以下が実行され、宅内情報管理装置１（５１１）が備える受信部（５１１−２）が、コンテンツ提供装置（５４１）から送信された機器種別を受信しない場合、宅内情報管理装置１（５１１）は待機する。
【００９６】
（ステップＣ３）
機器種別取得部（５１１−８）は、受信部（５１１−２）で受信された機器種別に基づいて、宅内情報記憶部（５１１−１）に蓄積されている電子機器毎に異なる識別子を取得する。
【００９７】
（ステップＣ４）
送信部（５１１−９）は、機器種別取得部（５１１−８）で取得された電子機器毎に異なる識別子をコンテンツ提供装置（５４１）に対して送信する。
【００９８】
以上が、宅内情報管理装置１（５１１）で実行される。
【００９９】
（ステップＣ５）
コンテンツ提供装置（５４１）が備える受信部（５４１−２）は、宅内情報管理装置１（５１１）から送信された電子機器毎に異なる識別子を受信する。
【０１００】
図９Ｂは、第２の実施形態における情報管理システムで実行される処理の一例を示すフローチャートである。
【０１０１】
図９Ｂによれば、コンテンツ提供装置（５４１）では以下が実行される。
【０１０２】
（ステップＤ１）
送信部（５４１−１）は、電子機器毎に異なる識別子を宅内情報管理装置１（５１１）に対して送信する。
【０１０３】
以上が、コンテンツ提供装置（５４１）で実行される。
【０１０４】
（ステップＤ２）
宅内情報管理装置１（５１１）が備える受信部（５１１−２）は、コンテンツ提供装置（５４１）から送信された電子機器毎に異なる識別子を受信可能で、宅内情報管理装置１（５１１）が備える受信部（５１１−２）が、コンテンツ提供装置（５４１）から送信された電子機器毎に異なる識別子を受信した場合、宅内情報管理装置１（５１１）では以下が実行され、宅内情報管理装置１（５１１）が備える受信部（５１１−２）が、コンテンツ提供装置（５４１）から送信された電子機器毎に異なる識別子を受信しない場合、宅内情報管理装置１（５１１）は待機する。
【０１０５】
（ステップＤ３）
宅内情報取得部（５１１−１０）は、受信部（５１１−２）で受信された電子機器毎に異なる識別子に基づいて、宅内情報記憶部（５１１−１）に蓄積されている機器情報管理装置毎に異なる識別子を取得する。
【０１０６】
（ステップＤ４）
送信部（５１１−９）は、宅内情報取得部（５１１−１０）で取得された機器情報管理装置毎に異なる識別子をコンテンツ提供装置（５４１）に対して送信する。
【０１０７】
以上が、宅内情報管理装置１（５１１）で実行される。
【０１０８】
（ステップＤ５）
コンテンツ提供装置（５４１）が備える受信部（５４１−２）は、宅内情報管理装置１（５１１）から送信された機器情報管理装置毎に異なる識別子を受信する。
【０１０９】
図９Ｃは、第２の実施形態における情報管理システムで実行される処理の一例を示すフローチャートである。
【０１１０】
図９Ｃによれば、コンテンツ提供装置（５４１）では以下が実行される。
【０１１１】
（ステップＥ１）
送信部（５４１−１）は、機器情報管理装置毎に異なる識別子を宅内情報管理装置１（５１１）に対して送信する。
【０１１２】
以上が、コンテンツ提供装置（５４１）で実行される。
【０１１３】
（ステップＥ２）
宅内情報管理装置１（５１１）が備える受信部（５１１−２）は、コンテンツ提供装置（５４１）から送信された機器情報管理装置毎に異なる識別子を受信可能で、宅内情報管理装置１（５１１）が備える受信部（５１１−２）が、コンテンツ提供装置（５４１）から送信された機器情報管理装置毎に異なる識別子を受信した場合、宅内情報管理装置１（５１１）では以下が実行され、宅内情報管理装置１（５１１）が備える受信部（５１１−２）が、コンテンツ提供装置（５４１）から送信された機器情報管理装置毎に異なる識別子を受信しない場合、宅内情報管理装置１（５１１）は待機する。
【０１１４】
（ステップＥ３）
宅内情報取得部（５１１−１０）は、受信部（５１１−２）で受信された機器情報管理装置毎に異なる識別子に基づいて、宅内情報記憶部（５１１−１）に蓄積されている電子機器毎に異なる識別子を取得する。
【０１１５】
（ステップＥ４）
送信部（５１１−９）は、宅内情報取得部（５１１−１０）で取得された電子機器毎に異なる識別子をコンテンツ提供装置（５４１）に対して送信する。
【０１１６】
以上が、宅内情報管理装置１（５１１）で実行される。
【０１１７】
（ステップＥ５）
コンテンツ提供装置（５４１）が備える受信部（５４１−２）は、宅内情報管理装置１（５１１）から送信された電子機器毎に異なる識別子を受信する。
【０１１８】
図９Ｄは、第２の実施形態における情報管理システムで実行される処理の一例を示すフローチャートである。
【０１１９】
図９Ｄによれば、コンテンツ提供装置（５４１）では以下が実行される。
【０１２０】
（ステップＦ１）
送信部（５４１−１）は、電子機器毎に異なる識別子を宅内情報管理装置１（５１１）に対して送信する。
【０１２１】
以上が、コンテンツ提供装置（５４１）で実行される。
【０１２２】
（ステップＦ２）
宅内情報管理装置１（５１１）が備える受信部（５１１−２）は、コンテンツ提供装置（５４１）から送信された電子機器毎に異なる識別子を受信可能で、宅内情報管理装置１（５１１）が備える受信部（５１１−２）が、コンテンツ提供装置（５４１）から送信された電子機器毎に異なる識別子を受信した場合、宅内情報管理装置１（５１１）では以下が実行され、宅内情報管理装置１（５１１）が備える受信部（５１１−２）が、コンテンツ提供装置（５４１）から送信された電子機器毎に異なる識別子を受信しない場合、宅内情報管理装置１（５１１）は待機する。
【０１２３】
（ステップＦ３）
機器種別取得部（５１１−８）は、受信部（５１１−２）で受信された電子機器毎に異なる識別子に基づいて、機器種別記憶部（５１１−３）に蓄積されている機器種別を取得する。
【０１２４】
（ステップＦ４）
送信部（５１１−９）は、機器種別取得部（５１１−８）で取得された機器種別をコンテンツ提供装置（５４１）に対して送信する。
【０１２５】
以上が、宅内情報管理装置１（５１１）で実行される。
【０１２６】
（ステップＦ５）
コンテンツ提供装置（５４１）が備える受信部（５４１−２）は、宅内情報管理装置１（５１１）から送信された機器種別を受信する。
【０１２７】
図９Ｅは、第２の実施形態における情報管理システムで実行される処理の一例を示すフローチャートである。
【０１２８】
図９Ｅによれば、コンテンツ提供装置（５４１）では以下が実行される。
【０１２９】
（ステップＧ１）
送信部（５４１−１）は、機器情報管理装置毎に異なる識別子を宅内情報管理装置１（５１１）に対して送信する。
【０１３０】
以上が、コンテンツ提供装置（５４１）で実行される。
【０１３１】
（ステップＧ２）
宅内情報管理装置１（５１１）が備える受信部（５１１−２）は、コンテンツ提供装置（５４１）から送信された機器情報管理装置毎に異なる識別子を受信可能で、宅内情報管理装置１（５１１）が備える受信部（５１１−２）が、コンテンツ提供装置（５４１）から送信された機器情報管理装置毎に異なる識別子を受信した場合、宅内情報管理装置１（５１１）では以下が実行され、宅内情報管理装置１（５１１）が備える受信部（５１１−２）が、コンテンツ提供装置（５４１）から送信された機器情報管理装置毎に異なる識別子を受信しない場合、宅内情報管理装置１（５１１）は待機する。
【０１３２】
（ステップＧ３）
機器情報取得部（５１１−１１）は、受信部（５１１−２）で受信された機器情報管理装置毎に異なる識別子に基づいて、機器情報記憶部（５１１−４）に蓄積されている機器情報管理装置毎に異なる識別子を取得する。
【０１３３】
（ステップＧ４）
送信部（５１１−９）は、機器情報取得部（５１１−１１）で取得された機器情報管理装置毎に異なる識別子をコンテンツ提供装置（５４１）に対して送信する。
【０１３４】
以上が、宅内情報管理装置１（５１１）で実行される。
【０１３５】
（ステップＧ５）
コンテンツ提供装置（５４１）が備える受信部（５４１−２）は、宅内情報管理装置１（５１１）から送信された機器情報管理装置毎に異なる識別子を受信する。
【０１３６】
また、コンテンツ提供装置（５４１）が、宅内情報管理装置１（５１１）に対して電子機器毎に異なる識別子と宅内情報管理装置１（５１１）が備えるセンサ情報記憶部（５１１−６）に蓄積されているセンサ情報の一部とを送信し、宅内情報管理装置１（５１１）が、コンテンツ提供装置（５４１）から送信された電子機器毎に異なる識別子と宅内情報管理装置１（５１１）が備えるセンサ情報記憶部（５１１−６）に蓄積されているセンサ情報の一部とを受信し、受信された電子機器毎に異なる識別子と宅内情報管理装置１（５１１）が備えるセンサ情報記憶部（５１１−６）に蓄積されているセンサ情報の一部とに基づいて、宅内情報管理装置１（５１１）が備えるセンサ情報記憶部（５１１−６）からセンサ情報の一部を取得し、コンテンツ提供装置（５４１）に送信することも可能である。しかし、本発明の主旨とはあまり関連性がないため、説明はおこなわない。
【０１３７】
第２の実施形態によれば、以下の効果を得ることが可能である。
【０１３８】
第１の実施形態では、宅内情報管理装置において電子機器の位置を推定することができた。
【０１３９】
第２の実施形態では、宅内情報管理装置とコンテンツ提供装置との間のアプリケーションインターフェースを提供することによって、コンテンツ提供装置において宅内情報管理装置が備える宅内情報記憶部と機器種別記憶部と機器情報記憶部とセンサ情報記憶部とにアクセスすることが可能となる。
したがって、コンテンツ提供装置は、例えば、宅内情報管理装置が備えるセンサ情報記憶部に蓄積されているセンサ情報を異常と判断した場合、異常と判断したセンサ情報を有する電子機器の周囲に設置されている電子機器を含めて、異常の原因と考えられる電子機器を特定することが可能となる。
【０１４０】
また、異常の原因と考えられる電子機器と、異常の原因と考えられる電子機器の機器種別と異常の内容とに基づいた改善のためのアドバイスと、を提供するサービスの実施も可能となる。
【０１４１】
例えば、宅内の部屋の温度を一定に保つサービスの提供に関する一例を以下に示す。
【０１４２】
コンテンツ提供装置は、はじめに、宅内情報管理装置を介して機器種別が空調となっている電子機器を特定する。
次に、宅内情報管理装置を介して、特定した電子機器が備える温度センサのセンサ情報を取得し、取得したセンサ情報が異常な電子機器を特定する。
【０１４３】
次に、宅内情報管理装置を介して、特定した電子機器が接続されている機器情報管理装置を特定する。
【０１４４】
次に、宅内情報管理装置を介して、特定した機器情報管理装置に接続されている電子機器を特定する。
【０１４５】
次に、宅内情報管理装置を介して、特定した電子機器の機器種別を特定する。また、特定した機器種別の内、温度を変化させるものを調査し、温度を変化させるものがない場合、宅内情報管理装置を介して、特定した機器情報管理装置と関係付けられている機器情報管理装置を特定する。
【０１４６】
次に、宅内情報管理装置を介して、特定した機器情報管理装置に接続されている電子機器を特定する。
【０１４７】
次に、宅内情報管理装置を介して、特定した電子機器の機器種別を特定する。また、特定した機器種別の内、温度を変化させるものを調査し、温度を変化させるものがある場合、空調と特定した電子機器とを利用者に提示して、空調と特定した電子機器との温度を調整することを要求する。
【０１４８】
（第３の実施形態）
第３の実施形態では、図３Ｃに示すとおりの情報管理システムを想定している。
第３の実施形態における情報管理システムは、第１の実施形態で示した情報管理システムに地域情報管理装置（５５１）を加えたものである。
【０１４９】
第３の実施形態では、宅内情報管理装置１（５１１）と地域情報管理装置（５５１）とが電気通信回線を介して接続されているものとする。
【０１５０】
また、宅内情報管理装置１（５１１）と地域情報管理装置（５５１）との通信に関する動作と、地域情報管理装置（５５１）の動作、以外については、第１の実施形態と動作が同一のため、宅内情報管理装置１（５１１）と地域情報管理装置（５５１）との通信に関する動作と、地域情報管理装置（５５１）の動作、以外については説明をおこなわない。
【０１５１】
図６Ｃに地域情報管理装置（５５１）の詳細について示す。
図１０Ａは、第３の実施形態における情報管理システムで実行される処理の一例を示すフローチャートである。
【０１５２】
図１０Ａによれば、宅内情報管理装置１（５１１）では以下が実行される。
【０１５３】
（ステップＨ１）
送信部（５１１−９）は、予め定められた周期、又は、宅内情報記憶部（５１１−１）が変更されたタイミングで、宅内情報管理装置毎に異なる識別子と機器情報管理装置毎に異なる識別子と電子機器毎に異なる識別子とを地域情報管理装置（５５１）に対して送信する。
【０１５４】
以上が、宅内情報管理装置１（５１１）で実行される。
【０１５５】
（ステップＨ２）
地域情報管理装置（５５１）が備える受信部（５５１−２）は、宅内情報管理装置１（５１１）から送信された宅内情報管理装置毎に異なる識別子と機器情報管理装置毎に異なる識別子と電子機器毎に異なる識別子とを受信可能で、地域情報管理装置（５５１）が備える受信部（５５１−２）が、宅内情報管理装置１（５１１）から送信された宅内情報管理装置毎に異なる識別子と機器情報管理装置毎に異なる識別子と電子機器毎に異なる識別子とを受信した場合、地域情報管理装置（５５１）では以下が実行され、地域情報管理装置（５５１）が備える受信部（５５１−２）が、宅内情報管理装置１（５１１）から送信された宅内情報管理装置毎に異なる識別子と機器情報管理装置毎に異なる識別子と電子機器毎に異なる識別子とを受信しない場合、地域情報管理装置（５５１）は待機する。
【０１５６】
（ステップＨ３）
地域情報管理装置（５５１）は、宅内情報管理装置毎に異なる識別子と機器情報管理装置毎に異なる識別子と電子機器毎に異なる識別子とを関係付けて蓄積することが可能な地域情報記憶部（５５１−１）を備えている。
また、地域情報管理装置（５５１）は、宅内情報管理装置毎に異なる識別子と電子機器毎に異なる識別子と機器種別とを関係付けて蓄積することが可能な機器種別記憶部（５５１−３）を備えている。但し、機器種別とは、冷蔵庫、テレビ及び空調等の電子機器の種類を示している。
また、地域情報管理装置（５５１）は、宅内情報管理装置毎に異なる識別子と複数の機器情報管理装置毎に異なる識別子を関係付けて蓄積することが可能な機器情報記憶部（５５１−４）を備えている。
地域情報蓄積部（５５１−５）は、受信部（５５１−２）で受信された宅内情報管理装置毎に異なる識別子と機器情報管理装置毎に異なる識別子と電子機器毎に異なる識別子とを関係付けて地域情報記憶部（５５１―１）に蓄積する。
【０１５７】
以上が、地域情報管理装置（５５１）で実行される。
【０１５８】
図１０Ｂは、第３の実施形態における情報管理システムで実行される処理の一例を示すフローチャートである。
【０１５９】
図１０Ｂによれば、宅内情報管理装置１（５１１）では以下が実行される。
【０１６０】
（ステップＩ１）
送信部（５１１−９）は、予め定められた周期又は、センサ情報記憶部（５１１−６）が変化したタイミングで、地域情報管理装置（５５１）に対して宅内情報管理装置毎に異なる識別子と電子機器毎に異なる識別子とセンサ情報とを送信する。
【０１６１】
以上が、宅内情報管理装置１（５１１）で実行される。
【０１６２】
また、宅内情報管理装置２（５１２）と宅内情報管理装置３（５１３）から宅内情報管理装置ｎ（５３ｎ）までとでも同様のことが実行されるが、宅内情報管理装置１（５１１）で実行されることと同一であるため、宅内情報管理装置２（５１２）と宅内情報管理装置３（５１３）から宅内情報管理装置ｎ（５１ｎ）までとについての説明はおこなわない。
【０１６３】
（ステップＩ２）
地域情報管理装置（５５１）が備える受信部（５５１−２）は、宅内情報管理装置１（５１１）から送信された宅内情報管理装置毎に異なる識別子と電子機器毎に異なる識別子とセンサ情報とを受信可能で、地域情報管理装置（５５１）が備える受信部（５５１−２）が、宅内情報管理装置１（５１１）から送信された宅内情報管理装置毎に異なる識別子と電子機器毎に異なる識別子とセンサ情報とを受信した場合、地域情報管理装置（５５１）では以下が実行され、地域情報管理装置（５５１）が備える受信部（５５１−２）が、宅内情報管理装置１（５１１）から送信された宅内情報管理装置毎に異なる識別子と電子機器毎に異なる識別子とセンサ情報とを受信しない場合、地域情報管理装置（５５１）は待機する。
【０１６４】
（ステップＩ３）
地域情報管理装置（５５１）は、宅内情報管理装置毎に異なる識別子と電子機器毎に異なる識別子とセンサ情報とを関係付けて蓄積することが可能なセンサ情報記憶部（５５１−６）を備えている。
センサ情報蓄積部（５５１−７）は、受信部（５５１−２）で受信された宅内情報管理装置毎に異なる識別子と電子機器毎に異なる識別子とセンサ情報とを関係付けてセンサ情報記憶部（５５１―６）に蓄積する。
【０１６５】
以上が、地域情報管理装置（５５１）で実行される。
【０１６６】
第３の実施形態によれば、以下の効果を得ることが可能となる。
【０１６７】
第３の実施形態では、宅内情報管理装置が有する、電子機器と情報管理装置との関係付けが地域情報管理装置に報知される。
【０１６８】
したがって、機器情報管理装置が既知の位置に固定されているとすると、地域情報管理装置では電子機器の位置を推定することが可能である。また、電子機器の位置は推定されるため、利用者が、自ら電子機器の位置を登録する必要がない。したがって、利用者の負担を大幅に軽減することが可能である。特に、電子機器が移動可能なものである場合、電子機器を移動する度に利用者が逐一位置を登録する必要がなくなる。
【０１６９】
（第４の実施形態）
第４の実施形態では、図３Ｄに示すとおりの情報管理システムを想定している。
第４の実施形態における情報管理システムは、第３の実施形態で示した情報管理システムにコンテンツ提供装置（５４１）を加えたものである。
【０１７０】
第４の実施形態では、地域情報管理装置（５５１）とコンテンツ提供装置（５４１）とが電気通信回線を介して接続されているものとする。
【０１７１】
また、地域情報管理装置（５５１）とコンテンツ提供装置（５４１）との通信に関する動作と、コンテンツ提供装置（５４１）の動作、以外については、第３の実施形態と動作が同一のため、地域情報管理装置（５５１）とコンテンツ提供装置（５４１）との通信に関する動作と、コンテンツ提供装置（５４１）の動作、以外については説明をおこなわない。
【０１７２】
図６Ｄに地域情報管理装置（５５１）の詳細について示す。
図１１Ａは、第４の実施形態における情報管理システムで実行される処理の一例を示すフローチャートである。
図１１Ａによれば、コンテンツ提供装置（５４１）では以下が実行される。
【０１７３】
（ステップＪ１）
送信部（５４１−１）は、機器種別を地域情報管理装置（５５１）に対して送信する。
【０１７４】
以上が、コンテンツ提供装置（５４１）で実行される。
【０１７５】
（ステップＪ２）
地域情報管理装置（５５１）が備える受信部（５５１−２）は、コンテンツ提供装置（５４１）から送信された機器種別を受信可能で、地域情報管理装置（５５１）が備える受信部（５５１−２）が、コンテンツ提供装置（５４１）から送信された機器種別を受信した場合、地域情報管理装置（５５１）では以下が実行され、地域情報管理装置（５５１）が備える受信部（５５１−２）が、コンテンツ提供装置（５４１）から送信された機器種別を受信しない場合、地域情報管理装置（５５１）は待機する。
【０１７６】
（ステップＪ３）
機器種別取得部（５５１−８）は、受信部（５５１−２）で受信された機器種別に基づいて、機器種別記憶部（５５１−３）に蓄積されている宅内情報管理装置毎に異なる識別子と電子機器毎に異なる識別子とを取得する。
【０１７７】
（ステップＪ４）
送信部（５５１−９）は、機器種別取得部（５５１−８）で取得された宅内情報管理装置毎に異なる識別子と電子機器毎に異なる識別子とをコンテンツ提供装置（５４１）に対して送信する。
【０１７８】
以上が、地域情報管理装置（５５１）で実行される。
【０１７９】
（ステップＪ５）
コンテンツ提供装置（５４１）が備える受信部（５４１−２）は、地域情報管理装置（５５１）から送信された宅内情報管理装置毎に異なる識別子と電子機器毎に異なる識別子とを受信する。
【０１８０】
図１１Ｂは、第４の実施形態における情報管理システムで実行される処理の一例を示すフローチャートである。
【０１８１】
図１１Ｂによれば、コンテンツ提供装置（５４１）では以下が実行される。
【０１８２】
（ステップＫ１）
送信部（５４１−１）は、宅内情報管理装置毎に異なる識別子と電子機器毎に異なる識別子とを地域情報管理装置（５５１）に対して送信する。
【０１８３】
以上が、コンテンツ提供装置（５４１）で実行される。
【０１８４】
（ステップＫ２）
地域情報管理装置（５５１）が備える受信部（５５１−２）は、コンテンツ提供装置（５４１）から送信された宅内情報管理装置毎に異なる識別子と電子機器毎に異なる識別子とを受信可能で、地域情報管理装置（５５１）が備える受信部（５５１−２）が、コンテンツ提供装置（５４１）から送信された宅内情報管理装置毎に異なる識別子と電子機器毎に異なる識別子とを受信した場合、地域情報管理装置（５５１）では以下が実行され、地域情報管理装置（５５１）が備える受信部（５５１−２）が、コンテンツ提供装置（５４１）から送信された宅内情報管理装置毎に異なる識別子と電子機器毎に異なる識別子とを受信しない場合、地域情報管理装置（５５１）は待機する。
【０１８５】
（ステップＫ３）
地域情報取得部（５５１−１０）は、受信部（５５１−２）で受信された宅内情報管理装置毎に異なる識別子と電子機器毎に異なる識別子とに基づいて、地域情報記憶部（５５１−１）に蓄積されている機器情報管理装置毎に異なる識別子を取得する。
【０１８６】
（ステップＫ４）
送信部（５５１−９）は、地域情報取得部（５５１−１０）で取得された機器情報管理装置毎に異なる識別子をコンテンツ提供装置（５４１）に対して送信する。
【０１８７】
以上が、地域情報管理装置（５５１）で実行される。
【０１８８】
（ステップＫ５）
コンテンツ提供装置（５４１）が備える受信部（５４１−２）は、地域情報管理装置（５５１）から送信された機器情報管理装置毎に異なる識別子を受信する。
【０１８９】
図１１Ｃは、第４の実施形態における情報管理システムで実行される処理の一例を示すフローチャートである。
【０１９０】
図１１Ｃによれば、コンテンツ提供装置（５４１）では以下が実行される。
【０１９１】
（ステップＬ１）
送信部（５４１−１）は、宅内情報管理装置毎に異なる識別子と機器情報管理装置毎に異なる識別子とを地域情報管理装置（５５１）に対して送信する。
【０１９２】
以上が、コンテンツ提供装置（５４１）で実行される。
【０１９３】
（ステップＬ２）
地域情報管理装置（５５１）が備える受信部（５５１−２）は、コンテンツ提供装置（５４１）から送信された宅内情報管理装置毎に異なる識別子と機器情報管理装置毎に異なる識別子とを受信可能で、地域情報管理装置（５５１）が備える受信部（５５１−２）が、コンテンツ提供装置（５４１）から送信された宅内情報管理装置毎に異なる識別子と機器情報管理装置毎に異なる識別子とを受信した場合、地域情報管理装置（５５１）では以下が実行され、地域情報管理装置（５５１）が備える受信部（５５１−２）が、コンテンツ提供装置（５４１）から送信された宅内情報管理装置毎に異なる識別子と機器情報管理装置毎に異なる識別子とを受信しない場合、地域情報管理装置（５５１）は待機する。
【０１９４】
（ステップＬ３）
地域情報取得部（５５１−１０）は、受信部（５５１−２）で受信された宅内情報管理装置毎に異なる識別子と機器情報管理装置毎に異なる識別子とに基づいて、地域情報記憶部（５５１−１）に蓄積されている電子機器毎に異なる識別子を取得する。
【０１９５】
（ステップＬ４）
送信部（５５１−９）は、地域情報取得部（５５１−１０）で取得された電子機器毎に異なる識別子をコンテンツ提供装置（５４１）に対して送信する。
【０１９６】
以上が、地域情報管理装置（５５１）で実行される。
【０１９７】
（ステップＬ５）
コンテンツ提供装置（５４１）が備える受信部（５４１−２）は、地域情報管理装置（５５１）から送信された電子機器毎に異なる識別子を受信する。
【０１９８】
図１１Ｄは、第４の実施形態における情報管理システムで実行される処理の一例を示すフローチャートである。
【０１９９】
図１１Ｄによれば、コンテンツ提供装置（５４１）では以下が実行される。
【０２００】
（ステップＭ１）
送信部（５４１−１）は、宅内情報管理装置毎に異なる識別子と電子機器毎に異なる識別子とを地域情報管理装置（５５１）に対して送信する。
【０２０１】
以上が、コンテンツ提供装置（５４１）で実行される。
【０２０２】
（ステップＭ２）
地域情報管理装置（５５１）が備える受信部（５５１−２）は、コンテンツ提供装置（５４１）から送信された宅内情報管理装置毎に異なる識別子と電子機器毎に異なる識別子とを受信可能で、地域情報管理装置（５５１）が備える受信部（５５１−２）が、コンテンツ提供装置（５４１）から送信された宅内情報管理装置毎に異なる識別子と電子機器毎に異なる識別子とを受信した場合、地域情報管理装置（５５１）では以下が実行され、地域情報管理装置（５５１）が備える受信部（５５１−２）が、コンテンツ提供装置（５４１）から送信された宅内情報管理装置毎に異なる識別子と電子機器毎に異なる識別子とを受信しない場合、地域情報管理装置（５５１）は待機する。
【０２０３】
（ステップＭ３）
機器種別取得部（５５１−８）は、受信部（５５１−２）で受信された宅内情報管理装置毎に異なる識別子と電子機器毎に異なる識別子とに基づいて、機器種別記憶部（５５１−３）に蓄積されている機器種別を取得する。
【０２０４】
（ステップＭ４）
送信部（５５１−９）は、機器種別取得部（５５１−８）で取得された機器種別をコンテンツ提供装置（５４１）に対して送信する。
【０２０５】
以上が、地域情報管理装置（５５１）で実行される。
【０２０６】
（ステップＭ５）
コンテンツ提供装置（５４１）が備える受信部（５４１−２）は、地域情報管理装置（５５１）から送信された機器種別を受信する。
【０２０７】
図１１Ｅは、第４の実施形態における情報管理システムで実行される処理の一例を示すフローチャートである。
【０２０８】
図１１Ｅによれば、コンテンツ提供装置（５４１）では以下が実行される。
【０２０９】
（ステップＮ１）
送信部（５４１−１）は、宅内情報管理装置毎に異なる識別子と機器情報管理装置毎に異なる識別子とを地域情報管理装置（５５１）に対して送信する。
【０２１０】
以上が、コンテンツ提供装置（５４１）で実行される。
【０２１１】
（ステップＮ２）
地域情報管理装置（５５１）が備える受信部（５５１−２）は、コンテンツ提供装置（５４１）から送信された宅内情報管理装置毎に異なる識別子と機器情報管理装置毎に異なる識別子を受信可能で、地域情報管理装置（５５１）が備える受信部（５５１−２）が、コンテンツ提供装置（５４１）から送信された宅内情報管理装置毎に異なる識別子と機器情報管理装置毎に異なる識別子とを受信した場合、地域情報管理装置（５５１）では以下が実行され、地域情報管理装置（５５１）が備える受信部（５５１−２）が、コンテンツ提供装置（５４１）から送信された宅内情報管理装置毎に異なる識別子と機器情報管理装置毎に異なる識別子とを受信しない場合、地域情報管理装置（５５１）は待機する。
【０２１２】
（ステップＮ３）
機器情報取得部（５５１−１１）は、受信部（５５１−２）で受信された宅内情報管理装置毎に異なる識別子と機器情報管理装置毎に異なる識別子とに基づいて、機器情報記憶部（５５１−１１）に蓄積されている機器情報管理装置毎に異なる識別子を取得する。
【０２１３】
（ステップＮ４）
送信部（５５１−９）は、機器情報取得部（５５１−１１）で取得された機器情報管理装置毎に異なる識別子をコンテンツ提供装置（５４１）に対して送信する。
【０２１４】
以上が、地域情報管理装置（５５１）で実行される。
【０２１５】
（ステップＮ５）
コンテンツ提供装置（５４１）が備える受信部（５４１−２）は、地域情報管理装置（５５１）から送信された機器情報管理装置毎に異なる識別子を受信する。
【０２１６】
また、コンテンツ提供装置（５４１）が、地域情報管理装置（５５１）に対して宅内情報管理装置毎に異なる識別子と電子機器毎に異なる識別子と地域情報管理装置（５５１）が備えるセンサ情報記憶部（５５１−６）に蓄積されているセンサ情報の一部とを送信し、地域情報管理装置（５５１）が、コンテンツ提供装置（５４１）から送信された宅内情報管理装置毎に異なる識別子と電子機器毎に異なる識別子と地域情報管理装置（５５１）が備えるセンサ情報記憶部（５５１−６）に蓄積されているセンサ情報の一部とを受信し、受信された宅内情報管理装置毎に異なる識別子と電子機器毎に異なる識別子と地域情報管理装置（５５１）が備えるセンサ情報記憶部（５５１−６）に蓄積されているセンサ情報の一部とに基づいて、地域情報管理装置（５５１）が備えるセンサ情報記憶部（５５１−６）からセンサ情報の一部を取得し、コンテンツ提供装置（５４１）に送信することも可能である。しかし、本発明の主旨とはあまり関連性がないため、説明はおこなわない。
【０２１７】
第４の実施形態によれば、以下の効果を得ることが可能である。
【０２１８】
第１の実施形態では、宅内情報管理装置において、電子機器の位置を推定することができた。
第２の実施形態では、宅内情報管理装置がコンテンツ提供装置に対してアプリケーションインターフェースを提供することによって、コンテンツ提供装置において、電子機器の位置を推測することができた。
第３の実施形態では、地域情報管理装置において、電子機器の位置を推定することができた。
【０２１９】
第４の実施形態では、地域情報管理装置とコンテンツ提供装置との間のアプリケーションインターフェースを提供することによって、コンテンツ提供装置において地域情報管理装置が備える地域情報記憶部と機器種別記憶部と機器情報記憶部とセンサ情報記憶部とにアクセスすることが可能となる。
したがって、コンテンツ提供装置は、例えば、地位情報管理装置が備えるセンサ情報記憶部に蓄積されているセンサ情報を異常と判断した場合、異常と判断したセンサ情報を有する電子機器の周囲に設置されている電子機器を含めて、異常の原因と考えられる電子機器を特定することが可能となる。
【０２２０】
また、異常の原因と考えられる電子機器と、異常の原因と考えられる電子機器の機器種別と異常の内容とに基づいた改善のためのアドバイスと、を提供するサービスの実施も可能となる。
【０２２１】
例えば、宅内の部屋の温度を一定に保つサービスの提供に関する一例を以下に示す。
【０２２２】
コンテンツ提供装置は、はじめに、地域情報管理装置を介して機器種別が空調となっている電子機器を特定する。
次に、地域情報管理装置を介して、特定した電子機器が備える温度センサのセンサ情報を取得し、取得したセンサ情報が異常な電子機器を特定する。
【０２２３】
次に、地域情報管理装置を介して、特定した電子機器が接続されている機器情報管理装置を特定する。
【０２２４】
次に、地域情報管理装置を介して、特定した機器情報管理装置に接続されている電子機器を特定する。
【０２２５】
次に、地域情報管理装置を介して、特定した電子機器の機器種別を特定する。また、特定した機器種別の内、温度を変化させるものを調査し、温度を変化させるものがない場合、地域情報管理装置を介して、特定した機器情報管理装置と関係付けられている機器情報管理装置を特定する。
【０２２６】
次に、地域情報管理装置を介して、特定した機器情報管理装置に接続されている電子機器を特定する。
【０２２７】
次に、地域情報管理装置を介して、特定した電子機器の機器種別を特定する。また、特定した機器種別の内、温度を変化させるものを調査し、温度を変化させるものがある場合、空調と特定した電子機器とを利用者に提示して、空調と特定した電子機器との温度を調整することを要求する。
【０２２８】
（第５の実施形態）
第５の実施形態は、コンテンツ提供装置の数が複数であること以外については、第２の実施形態又は第４の実施形態と同一である。したがって、同一の部分についての説明はおこなわず、異なる部分についての説明のみをおこなう。
【０２２９】
第５の実施形態では、複数のコンテンツ提供装置の各々が、宅内情報管装置又は地域情報管理装置と電気通信回線を介して接続される。
【０２３０】
また、コンテンツ提供装置で実行される動作は、コンテンツ提供装置（５４１）で実行される動作と同一のため、説明を行わない。
【０２３１】
（第６の実施形態）
第６の実施形態は、宅内情報管理装置１（５１１）と宅内情報管理装置２（５１２）と宅内情報管理装置３（５１３）から宅内情報管理装置ｎ（５１ｎ）までの各々とから地域情報管理装置（５５１）に対して宅内情報管理装置毎に異なる識別子の代わりに、宅内情報管理装置毎に異なる認証情報を送信する以外については、第３の実施形態又は第４の実施形態と同一である。したがって、同一の部分についての説明はおこなわず、異なる部分についての説明のみをおこなう。
【０２３２】
第６の実施形態では、宅内情報管理装置１（５１１）と宅内情報管理装置２（５１２）と宅内情報管理装置３（５１３）から宅内情報管理装置ｎ（５１ｎ）までの各々とから地域情報管理装置（５５１）に対して宅内情報管理装置毎に異なる識別子の代わりに宅内情報管理装置毎に異なる認証情報を送信する。
【０２３３】
地域情報管理装置（５５１）は、宅内情報管理装置毎に異なる認証情報を受信し、受信した宅内情報管理装置毎に異なる認証情報を利用して送信元を認証し、送信元の宅内情報管理装置毎に異なる識別子を特定する。
【０２３４】
（第７の実施形態）
以上の第１の実施形態から第６の実施形態までで説明した各装置は、複数の機能を実現するためのプログラムをコンピュータ読み取り可能な記録媒体に記録して、この記録媒体に記録されたプログラムをコンピュータシステムに読み込ませ、実行することによって、各機能部の処理を実現してもよい。なお、ここでいう「コンピュータシステム」とは、ＯＳ（Ｏｐｅｒａｉｎｇ  Ｓｙｓｔｅｍ）や周辺機器等のハードウェアを含むものとする。
【０２３５】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【０２３６】
また、前記プログラムは前述した機能の一部を実現するためのものであってもよく、さらに前述した機能をコンピュータシステムに既に記録されているプログラムとの組み合わせで実現できるものであってもよい。
【０２３７】
また、上記プログラムを格納した「記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２３８】
（第８の実施形態）
以上の第１の実施形態から第６の実施形態までで説明した、各装置の各機能部は、これらの機能を実現する回路デバイス、ＩＣ（Ｉｎｔｅｇｒａｔｅｄ  Ｃｉｒｃｕｉｔ）などの集積回路、などのハードウェアを用いて構成することができる。また、これら機能部はそれぞれ個別に構成してもよいし、複数の機能部を単一のハードウェアによって構成することもできる。
【０２３９】
以上の第１の実施形態から第６の実施形態までで説明した、添付図面に図示されている構成などについては、これらに限定されるものではなく、本発明の効果を発揮する範囲内で適宜変更することが可能である。その他、本発明の目的の範囲を逸脱しない限りにおいて適宜変更して実施することが可能である。
【０２４０】
また、本発明の各構成要素は、任意に取捨選択することができ、取捨選択した構成を具備する発明も本発明に含まれるものである。
【産業上の利用可能性】
【０２４１】
本発明は、情報管理システムに利用可能である。
【符号の説明】
【０２４２】
１０１：電子機器１
１０２：電子機器２
１０３：電子機器３
１０ｎ：電子機器ｎ
１１１：宅内情報管理装置
１１２：宅内情報管理装置２
１１３：宅内情報管理装置３
１１ｎ：宅内情報管理装置ｎ
１２１：地域情報管理装置
１３１：コンテンツ提供装置１
１３２：コンテンツ提供装置２
１３３：コンテンツ提供装置３
１３ｎ：コンテンツ提供装置ｎ
１４１：コンテンツ視聴装置１
１４２：コンテンツ視聴装置２
１４３：コンテンツ視聴装置３
１４ｎ：コンテンツ視聴装置ｎ
２０１：照明制御装置
２１１：照明装置１
２１２：照明装置２
２１３：照明装置３
５３１：電子機器１
５３２：電子機器２
５３３：電子機器３
５３ｎ：電子機器ｎ
５２１：機器情報管理装置１
５２２：機器情報管理装置２
５２３：機器情報管理装置３
５２ｎ：機器情報管理装置ｎ
５１１：宅内情報管理装置
５４１：コンテンツ提供装置
５５１：地域情報管理装置
５２１−１：受信部
５２１−２：送信部
５３１−１：送信部
５１１−１：宅内情報記憶部
５１１−２：受信部
５１１−３：機器種別記憶部
５１１−４：機器情報記憶部
５１１−５：宅内情報蓄積部
５１１−６：センサ情報記憶部
５１１−７：センサ情報蓄積部
５１１−８：機器種別取得部
５１１−９：送信部
５１１−１０：宅内情報取得部
５１１−１１：機器情報取得部
５５１−１：地域情報記憶部
５５１−２：受信部
５５１−３：機器種別記憶部
５５１−４：機器情報記憶部
５５１−５：地域情報蓄積部
５５１−６：センサ情報記憶部
５５１−７：センサ情報蓄積部
５５１−８：機器種別取得部
５５１−９：送信部
５５１−１０：地域情報取得部
５５１−１１：機器情報取得部
５４１−１：送信部
５４１−２：受信部
【図１】
2014064052.tif 000003
【図２】
2014064052.tif 000004
【図３Ａ】
2014064052.tif 000005
【図３Ｂ】
2014064052.tif 000006
【図３Ｃ】
2014064052.tif 000007
【図３Ｄ】
2014064052.tif 000008
【図４】
2014064052.tif 000009
【図５】
2014064052.tif 000010
【図６Ａ】
2014064052.tif 000011
【図６Ｂ】
2014064052.tif 000012
【図６Ｃ】
2014064052.tif 000013
【図６Ｄ】
2014064052.tif 000014
【図７】
2014064052.tif 000015
【図８Ａ】
2014064052.tif 000016
【図８Ｂ】
2014064052.tif 000017
【図９Ａ】
2014064052.tif 000018
【図９Ｂ】
2014064052.tif 000019
【図９Ｃ】
2014064052.tif 000020
【図９Ｄ】
2014064052.tif 000021
【図９Ｅ】
2014064052.tif 000022
【図１０Ａ】
2014064052.tif 000023
【図１０Ｂ】
2014064052.tif 000024
【図１１Ａ】
2014064052.tif 000025
【図１１Ｂ】
2014064052.tif 000026
【図１１Ｃ】
2014064052.tif 000027
【図１１Ｄ】
2014064052.tif 000028
【図１１Ｅ】
2014064052.tif 000029